(57)【要約】【課題】  高齢者向け共同住宅、老人ホームなどの車椅子の利用が想定される場所において利用可能な、自動昇降機、自動昇降機の運転方法を提供する。【解決手段】  自動走行車椅子の走行管理と自動走行車椅子が走行する誘導路を管理する車椅子自動走行システムにおける自動昇降機であって、自動走行車椅子からの指示、またはホストコンピュータからの指示により、自動走行車椅子を乗せるための階への移動、および自動走行車椅子を乗せて目的階に移動させ、自動走行車椅子を入室させる際に、当該自動走行車椅子を検出して扉を開き、自動走行車椅子の入室を誘導し、自動走行車椅子が入室し所定の位置で停止したことを確認した後に扉を閉じ、自動走行車椅子を退室させる際に、目的階に着いたことを確認して扉を開き、自動走行車椅子の退室を誘導し、自動走行車椅子が退室したことを確認した後に扉を閉じる。【選択図】  図１０
2005206362.tif 000002
【特許請求の範囲】
【請求項１】
自動走行車椅子の走行管理と自動走行車椅子が走行する誘導路を管理する車椅子自動走行システムにおける自動昇降機であって、
前記自動走行車椅子からの指示、またはホストコンピュータからの指示により、自動走行車椅子を乗せるための階への移動、および自動走行車椅子を乗せて目的階に移動する目的階移動手段と、
自動走行車椅子を入室させる際に、当該自動走行車椅子を検出して扉を開き、自動走行車椅子の入室を誘導し、自動走行車椅子が入室し所定の位置で停止したことを確認した後に扉を閉じる入室誘導手段と、
自動走行車椅子を退室させる際に、目的階に着いたことを確認して扉を開き、自動走行車椅子の退室を誘導し、自動走行車椅子が退室したことを確認した後に扉を閉じる退室誘導手段と
を備えることを特徴とする自動昇降機。
【請求項２】
かご内の自動走行車椅子を検出するエリアセンサの検出結果に基づいて、かご内の空きスペースを検出し、自動走行車椅子が入室するスペースがある場合、自動昇降機は、要求があった自動走行車椅子を乗せるために作動するとともに、スペースがない場合には通過もしくはその旨を自動走行車椅子またはホストコンピュータに通知する手段
を備えることを特徴とする請求項１に記載の自動昇降機。
【請求項３】
前記自動走行車椅子またはホストコンピュータから当該自動走行車椅子を乗せるための指示を受信した場合に、前記自動走行車椅子が入室することを前記かご内に通知する出力手段
を備えることを特徴とする請求項１または請求項２に記載の自動昇降機。
【請求項４】
自動走行車椅子の走行管理と自動走行車椅子が走行する誘導路を管理する車椅子自動走行システムにおける自動昇降機の運転方法であって、
前記自動走行車椅子からの指示、またはホストコンピュータからの指示により、自動走行車椅子を乗せるための階への移動、および自動走行車椅子を乗せて目的階に移動させ、
自動走行車椅子を入室させる際に、当該自動走行車椅子を検出して扉を開き、自動走行車椅子の入室を誘導し、自動走行車椅子が入室し所定の位置で停止したことを確認した後に扉を閉じ、
自動走行車椅子を退室させる際に、目的階に着いたことを確認して扉を開き、自動走行車椅子の退室を誘導し、自動走行車椅子が退室したことを確認した後に扉を閉じる
ことを特徴とする自動昇降機の運転方法。
【発明の詳細な説明】
【技術分野】
【０００１】
本発明は、自動走行車椅子を搭乗させる自動昇降機、自動昇降機の運転方法に関するものである。
【背景技術】
【０００２】
日本は現在、高齢者社会に向かいつつあり、高齢者向け共同住宅、老人ホーム、ケアハウス、グループホームなどが数多く建設されるようになってきた。しかしながら、高齢者になると身体的能力が次第に低下し、特に、足腰の痛みから歩行に困難を覚えることが多くなり、歩くことが少なくなり、また、脳の血管障害により、右半身、左半身の麻痺となり、歩行困難となる場合もあり、自室に引きこもる高齢者も多い。
【０００３】
このような、歩行に困難を覚える高齢者には、身体障害者用の自走可能な車椅子の利用が考えられるが、従来の自走可能な車椅子を安全に利用するには、相当程度に操作に習熟する必要があり、高齢者自身がその操作を行うことが困難な場合もあり、従って、高齢者に対する安全性への配慮を十分に行う必要がある。
【０００４】
なお、出発地と目的地を指定することにより、出発地から目的地までの経路を案内する走行経路案内装置に関する発明が開示されている（例えば、特許文献１）。
【特許文献１】特開２００２−３２３３３３号公報
【発明の開示】
【発明が解決しようとする課題】
【０００５】
しかしながら、特許文献１で開示された「走行経路案内装置」のように、経路に沿って案内または自動走行するシステムは存在するが、車椅子のように、車道以外の場所において走行する場合では、室内における壁や家具、障害物、または、扉などの一般に車道や工場内には存在しない物が多数存在するので、これらのものを考慮した上で、案内する必要がある。
【０００６】
また、車椅子の搭乗者は、高齢者など、一般に体の一部が不自由であるため、走行する上で搭乗者にかかる負担を軽減することが望ましい。また、他の走行案内のシステムとは、人が乗っていることと、肢体不自由な搭乗者に不安を与えないように安全に走行させることが望ましい。また、車道ではない室内、公園など、障害物や扉、エレベータなどが存在するので、従来における車両以外が走行しない車道の走行ルートを案内するシステムをそのまま適用すると、障害物等によって車椅子の搭乗者の安全を確保して走行させることが困難である。
【０００７】
また、工場内等における自動搬送システムなどがあるが、これらと車椅子と決定的な相違点は、利用者が高齢者などの何らかの身体的障害を持った利用者であり、場合によっては、自己判断能力が低下した利用者であるという点において、前述した走行経路案内装置と共通した問題点がある。
【０００８】
このように、車椅子利用の自動走行については、従来の走行経路案内装置と比較して特別な配慮が必要であり、急激な高齢化社会を向え介護者不足が深刻な問題になることが予想され、車椅子の自動・自律走行が行える車椅子の自動走行システムの開発が急務となっている。
【０００９】
また、車椅子の自動走行システムにおいては、平面的な移動に加えて、昇降機による垂直移動が重要な課題となる。車椅子自動走行用の自動昇降機があれば立体を平面として利用でき、垂直移動することにより平面的な移動が最低限で可能となる。しかしながら現状においては車椅子自動走行システムに組み込まれた自動昇降機は存在せず、平面でしか利用できないため、介護者が伴わずに車椅子利用者個人が他階へいく場合には、昇降機への乗り降りや、昇降機のボタンの操作を車椅子の利用者自身がしなければならず、また、従来のように、積載重量によって乗れる人数を制限する方式では、積載重量が規定値以下であっても、必ずしも車椅子が乗れるスペースがあるとは限らないので、積載重量だけでは車椅子が乗れる・乗れないを管理できない。このように、車椅子の利用者に配慮した車椅子自動走行用の自動昇降機の開発も急務であった。
【００１０】
本発明はこのような問題を解決するためになされたもので、その目的は、高齢者向け共同住宅、老人ホーム、病院、ケアハウス、グループホーム、スーパーマーケット、デパート、公共建築物、公園などの車椅子の利用が想定される場所において利用可能な、安全性が高く操作が容易な、自動昇降機、自動昇降機の運転方法を提供することにある。
【課題を解決するための手段】
【００１１】
本発明は上記課題を解決するためになされたものであり、本発明の自動昇降機は、自動走行車椅子の走行管理と自動走行車椅子が走行する誘導路を管理する車椅子自動走行システムにおける自動昇降機であって、前記自動走行車椅子からの指示、またはホストコンピュータからの指示により、自動走行車椅子を乗せるための階への移動、および自動走行車椅子を乗せて目的階に移動する目的階移動手段と、自動走行車椅子を入室させる際に、当該自動走行車椅子を検出して扉を開き、自動走行車椅子の入室を誘導し、自動走行車椅子が入室し所定の位置で停止したことを確認した後に扉を閉じる入室誘導手段と、自動走行車椅子を退室させる際に、目的階に着いたことを確認して扉を開き、自動走行車椅子の退室を誘導し、自動走行車椅子が退室したことを確認した後に扉を閉じる退室誘導手段とを備えることを特徴とする。
これにより、自動走行車椅子の自動走行中に自動昇降機を自動的に利用できるようになる。すなわち、エレベータに実際に乗れるかどうかを自動走行車椅子の利用者が判断して、乗る、乗らないの意思表示をする必要がなく、車椅子の搭乗者にかかる負担を軽減させることができる。このような意思表示を言葉にする、あるいは、自動昇降機のボタンを操作することは、残存能力が低下した車椅子搭乗者または、目的階や操作方法を忘れてしまう場合がある痴呆症状のある車椅子搭乗者にとって、非常に負担が大きい場合もあり、このような利用者の負担を大幅に軽減できるとともに、誤操作をなくすことが可能となる。
【００１２】
また、本発明の自動昇降機は、かご内の自動走行車椅子を検出するエリアセンサの検出結果に基づいて、かご内の空きスペースを検出し、自動走行車椅子が入室するスペースがある場合、自動昇降機は、要求があった自動走行車椅子を乗せるために作動するとともに、スペースがない場合には通過もしくはその旨を自動走行車椅子またはホストコンピュータに通知する手段を備えることを特徴とする。
これにより、自動走行車椅子の自動走行中に自動昇降機の利用が必要となった場合に、利用可能な自動昇降機を自動的に選択して利用できるようになる。
【００１３】
また、本発明の自動昇降機は、前記自動走行車椅子またはホストコンピュータから当該自動走行車椅子を乗せるための指示を受信した場合に、前記自動走行車椅子が入室することを前記かご内に通知する出力手段を備えることを特徴とする。
また、本発明は、自動走行車椅子の走行管理と自動走行車椅子が走行する誘導路を管理する車椅子自動走行システムにおける自動昇降機の運転方法であって、前記自動走行車椅子からの指示、またはホストコンピュータからの指示により、自動走行車椅子を乗せるための階への移動、および自動走行車椅子を乗せて目的階に移動させ、自動走行車椅子を入室させる際に、当該自動走行車椅子を検出して扉を開き、自動走行車椅子の入室を誘導し、自動走行車椅子が入室し所定の位置で停止したことを確認した後に扉を閉じ、自動走行車椅子を退室させる際に、目的階に着いたことを確認して扉を開き、自動走行車椅子の退室を誘導し、自動走行車椅子が退室したことを確認した後に扉を閉じることを特徴とする。
【発明の効果】
【００１４】
本発明の自動昇降機によれば、自動走行車椅子からの要求、またはホストコンピュータからの要求により、車椅子を乗せるための階への移動し、自動走行車椅子を入室させる際に、当該自動走行車椅子を検出して扉を開き、自動走行車椅子の入室を誘導し、自動走行車椅子が入室し所定の位置で停止したことを確認した後に扉を閉じ、目的階に移動する。また、自動走行車椅子を退室させる際に、目的階に着いたことを確認して扉を開き、自動走行車椅子の退室を誘導し、自動走行車椅子が退室したことを確認した後に扉を閉じる。
これにより、自動走行車椅子の自動走行中に自動昇降機を自動的に利用できるようになる。すなわち、エレベータに実際に乗れるかどうかを自動走行車椅子の利用者が判断して、乗る、乗らないの意思表示をする必要がなく、自動走行車椅子の利用者（搭乗者）の負担を軽減させることができる。このような意思表示を言葉にする、あるいは、自動昇降機のボタンを操作することは、残存能力が低下した車椅子搭乗者または、目的階や操作方法を忘れてしまう場合がある痴呆症状のある車椅子搭乗者にとって、非常に負担が大きい場合もあり、このような利用者の負担を大幅に軽減できるとともに、誤操作をなくすことが可能となる。
【００１５】
また、本発明の自動昇降機においては、かご内のエリアセンサの検出結果に基づいて自動昇降機内の空きスペースを検出し、自動走行車椅子が入るスペースがあれば、自動昇降機を要求した自動走行車椅子を乗せるために作動するとともに、スペースがない場合には通過もしくはその旨を自動走行車椅子またはホストコンピュータに通知する。
これにより、自動走行車椅子の自動走行中に自動昇降機の利用が必要となった場合に、利用可能な自動昇降機を自動的に選択して利用できるようになる。
【００１６】
また、本発明の自動昇降機においては、自動走行車椅子を乗せるための指示を受信した場合に、自動走行車椅子が入室することをかご内に通知するようにしたので、既にかご内に搭乗している人に対して自動走行車椅子が入室することを把握してもらうことができ、これにより、出入り口付近の場所をあけてもらい、自動走行車椅子をスムーズに搭乗させることが可能となる。
【発明を実施するための最良の形態】
【００１７】
次に本発明を実施するための最良の形態について図面を参照して説明する。図１は、本発明による自動走行車椅子１００の構成例を示す図であり、図１（ａ）は上面図、図１（ｂ）は側面図、図１（ｃ）は正面図を示し、駆動ユニット１０１の部分を強調して示した図面である。
【００１８】
図１に示す自動走行車椅子１００は、通常の車椅子に、駆動ユニット１０１と、入出力装置１０５と、コントローラ１０６を設備した例を示しており、駆動ユニット１０１と、入出力装置１０５と、コントローラ１０６を取り外すことにより、通常の車椅子としても使用できるようにしたものである。
【００１９】
駆動ユニット１０１には、バッテリ１０２が装備され、バッテリ１０２は、駆動モータ１０３を駆動する他、車椅子制御装置（車載コンピュータともいう）１０４、入出力装置１０５などに電源を供給する。
【００２０】
駆動モータ１０３は、移動用タイヤ１１０を駆動するための直流モータであり、２個の移動用タイヤ１１０を２個の駆動モータ１０３により、それぞれ個別に駆動する。これにより、最小の回転半径で自動走行車椅子１００の進行方向を変えることが可能になる。
【００２１】
車椅子制御装置（車載コンピュータ）１０４は、自動走行車椅子１００の全体を制御するためのコンピュータ制御装置であり、またホストコンピュータ（後述する）及び各種自動扉、自動昇降機（エレベータ）との通信を行うための送受信機能を備えている。
【００２２】
入出力装置１０５は、タッチパネルや、スピーカや、マイクロフォン、光フラッシュなどが必要に応じて設備される入出力装置である。タッチパネルは、目的地などを入力するために使用され、スピーカは自動走行車椅子１００の搭乗者に走行状況の情報を通知するために使用され、マイクロフォンは目的地の情報などを音声入力するために使用され、光フラッシュは搭乗者に警報を通知するために使用される。この入出力装置１０５により目的地を設定する他、自動走行時の不安解消のため、必要に応じて、音声または光フラッシュ等にて、自動走行時の必要情報を搭乗者に伝達する。
【００２３】
コントローラ１０６は、搭乗者が自動走行車椅子１００を手動操作するための装置であり、緊急時には、このコントローラ１０６のコントロールレバー１０６ａを操作して、自動走行車椅子１００を停止させることができる。なお、入出力装置１０５及びコントローラ１０６は車椅子の利用者が操作しやすい場所に取り付ける。特に、コントローラ１０６は、自動走行をコントロールするために、手、足、アゴ等利用者特有の身体能力に応じて必要な場所に取り付け、また自由な動きを可能とするコントロールレバー１０６ａ等を内蔵させる。
【００２４】
また、センサ部１０７には、誘導路の床などに埋設されたＲＦＩＤ（Radio  Frequency  Identification）などの誘導チップを読み取る誘導チップリーダ、または誘導路の床面に張り付けられた磁気テープを読み取るための磁気センサが設けられる。また、センサ部１０７には、必要に応じて、障害物を監視するため車載カメラ、超音波センサ、人及び動物などを監視するための赤外線センサ・人感センサ、障害物や他の自動走行車椅子との衝突を防止するための衝突予防センサなどを設備する。
【００２５】
なお、誘導用タイヤ１１１は、自動走行車椅子１００の走行を安定させるためのタイヤである。また、自動走行車椅子１００には、自動走行車椅子１００に対して突然障害物が迫ってきた場合でも、自動停止機能付き大型ダンパ等により、完全に停止させる装置、及び身体保護のための可動保護手摺等を設備する。
【００２６】
なお、この自動走行車椅子１００の駆動ユニット１０１は着脱可能に構成され、必要な人に必要期間貸し出すことができる。また、夜間などに自動走行車椅子１００のバッテリ１０２を充電をするために、不使用時には、ベッド横等の一定の場所に自走し、自動的に充電するようにもできる。
【００２７】
図２は、誘導路の構成例を示す図であり、誘導路２００に沿って、ＲＦＩＤチップを誘導チップ２１１として床面に埋設した例を示したものである。誘導チップ２１１には、位置情報が記録されており、自動走行車椅子１００に搭載されたＲＦＩＤリーダがこの誘導チップ２１１に記録された情報を読み取り、走行経路の位置を確認しながら自動走行する。なお、図２に示す例では、誘導路２００が往復２車線の場合の例を示しているがこれに限らず、往復４車線、６車線など環境と必要に応じて増やすことができる。また、誘導路２００の車線が同一進行方向に複数本ある場合には、障害物を感知した場合に、車線を変更して障害物を回避することができる。
【００２８】
なお、１車線に、複数列の誘導チップ２１１を設備することも可能であり、この場合は、自動走行車椅子１００の進行方向に対して幅員方向の位置情報を感知し、制御することが可能になる。
【００２９】
また、自動走行車椅子の誘導路と、介護用の電動トランスファーマシンなどとを組み合わせ、車椅子の搭乗者を、各居室内のトイレ、浴室等に搬送可能とし、利用者の利便性を高めることもできる。
【００３０】
また、図３は、誘導路の概念図を示す図であり、本発明による車椅子自動走行システムを、５階建ての建物に設備した場合の誘導路の例を示す図である。
各階には、誘導路３０１乃至３０６が施設されるとともに、各種自動扉（住居内扉、防火扉など）３１１乃至３１５、自動昇降機扉３１６乃至３２０が設けられる。各種自動扉３１１乃至３１５と自動走行車椅子１００とは電波又は磁気等による電気的な照合を行い、自動走行車椅子１００の走行に支障のないように、自動的に開閉を行う。また、自動走行車椅子１００は、自動昇降機にも行き先階の情報を送信し、自動的に着床させる。
【００３１】
また、誘導路３０１乃至３０６には、任意の場所、各出発地、到着場所 、各分岐点等に車椅子検出センサ３３０を取り付け、各自動走行車椅子の全体の移動管理を行うためのホストコンピュータ４００を一箇所または複数箇所に設置し、システム全体の管理を行う。
【００３２】
また、誘導路３０１乃至３０６の近傍に、スピーカ及びマイク、監視カメラ等を設置し、トラブル発生時に、音声等にて車椅子の搭乗者と連絡が取れ、また、管理人室、ナースステーション等の介護人がいる場所に、モニター画像、音声等の情報を送り、障害発生時に必要な処置が行えるようにすることができる。
【００３３】
また、図４は、自動走行車椅子の駆動ユニットの構成例を示すブロック図であり、自動走行車椅子１００に設備された駆動ユニット１０１には、車椅子制御装置（車載コンピュータともいう）１０４、入出力装置１０５、駆動モータ１０３、コントローラ１０６、誘導チップリーダ１３１、監視カメラ１３２が設けられる。また、車椅子制御装置（車載コンピュータ）１０４内には、駆動ユニット１０１の全体を統括制御する制御部１４１、ホストコンピュータ４００や各種自動扉３１１や自動昇降機との通信を行うための通信部１４２、モータ制御回路部１４３、処理プログラム部１５０が設けられる。
【００３４】
また、処理プログラム部１５０には、以下の処理部が含まれる。
誘導路経路情報取得処理部１５１は、出発地と目的地の情報を基に、誘導路の経路情報を、当該車椅子制御装置１０４自身が算出するか、又はホストコンピュータ４００が算出した経路情報を取得するための処理部である。障害物検知処理部１５２は、監視カメラ１３２からの画像情報を取得し、障害物の形状、サイズ、障害物までの距離などを算出するための処理部である。
【００３５】
また、障害物回避処理部１５３は、障害物の種類に応じた衝突防止などの回避処理を行うための処理部である。迂回ルート取得処理部１５４は、障害物の迂回ルートを取得するための処理部であり、車椅子制御装置（車載コンピュータ）１０４自身が迂回ルートを算出するか、またはホストコンピュータ４００が算出した迂回ルートの情報を取得する。自動扉開閉指示処理部１５５は、障害物が自動扉３１１である場合には、車椅子制御装置１０４自身が、又はホストコンピュータ４００を介して、自動扉３１１と通信を行い開閉を指示するための処理部である。
【００３６】
自動昇降機移動指示処理部１５６は、目的階に行くための自動昇降機の呼び出し指示を、車椅子制御装置１０４自身が、又はホストコンピュータ４００を介して行うための処理部である。
【００３７】
走行状況通知処理部１５７は、自動走行車椅子１００の搭乗者に、走行状況を随時通知するための処理部である。この走行状況の通知は、例えばスピーカ１０５ｂを使用し、音声で行うことができる。
モータ制御処理部１５８は、モータ制御回路部１４３に指令を出し、駆動モータ１０３の回転数の制御、及び車椅子を回転させるための回転方向制御を行うための処理部である。
【００３８】
また、図５は、ホストコンピュータの構成例を示すブロック図であり、本発明に直接関係する部分のみを示したものである。ホストコンピュータ４００には、ホストコンピュータ４００の全体を統括制御する制御部４０１、データベース４０２、処理プログラム部４１０が含まれる。
【００３９】
また、処理プログラム部４１０には、以下の処理部が含まれる。
管理人室への情報伝達処理部４１１は、管理人室５００内の管理人に、監視カメラからの監視情報及び障害物の警報等を送信するための処理部である。また、自動走行車椅子監視処理部４１２は、各自動走行車椅子の全体の走行状況を監視するための処理部である。
【００４０】
誘導路経路算出処理部４１３は、自動走行車椅子１００から目的地の情報を受信し、自動走行車椅子１００の現在位置と目的地情報を基に、誘導路の最適経路を算出し、当該自動走行車椅子１００に通知するための処理部である。なお、この誘導路の経路算出は、自動走行車椅子１００側で行うようにしてもよい。
【００４１】
迂回ルート算出処理部４１４は、自動走行車椅子１００が障害物に遭遇した場合に、迂回ルートを算出し、当該自動走行車椅子１００に通知するための処理部である。なお、この迂回ルートの算出は、自動走行車椅子１００側で行うようにしてもよい。
【００４２】
自動昇降機移動指示処理部４１５は、目的階に行くために自動昇降機４３２の呼び出しと、移動指示を行うための処理部である。なお、この自動昇降機４３２の呼び出しと移動指示は、自動走行車椅子１００側で行うようにしてもよい。
【００４３】
自動扉開閉指示処理部４１６、自動扉４３１に開閉を指示するための処理部である。なお、この自動扉の開閉指示は、自動走行車椅子１００側で行うようにしてもよい。走行状況通知処理部４１７は、自動走行車椅子１００の搭乗者に、走行状況を随時通知するための処理部である。
【００４４】
また、誘導路監視処理部４１８は、誘導路２００の近傍（床、壁、天井など）に設備された誘導路設置センサ４３０により、誘導路を監視するための処理部である。誘導路設置センサ４３０により、例えば、障害物の監視、施設内設置防災センサによる火災等の監視、施設内設置監視カメラによる障害物の監視、車椅子内蔵各センサによる障害物などの監視が行われる。また、障害物などが発見された場合には、自動走行車椅子１００に通知し、自動走行車椅子１００の速度の減速や、停止を指示する。
【００４５】
なお、データベース４０２は、システムの運用に必要な情報が記録される。
例えば、車椅子管理情報は、このシステムで利用される各自動走行車椅子１００についての利用者の情報、自動扉などの開閉のための照合用情報、各自動走行車椅子１００の現在の位置、使用状況、移動軌跡、時間等の情報が記録される。また、車椅子管理情報は、後日必要に応じて、記録として検証することができる。
【００４６】
センサ類管理情報は、システムで使用されている誘導チップ、誘導路設置センサなどの位置、種別などを記録した管理情報である。自動扉管理情報は、システムで使用されている自動扉の場所、開閉状態などの情報を記録した管理情報である。自動昇降機管理情報は、システムで使用されている自動昇降機の場所、運用状況の情報などを記録した管理情報である。誘導路管理情報は、建物内に施設された誘導路についての情報を記録した管理情報である。
【００４７】
また、図６は、自動走行車椅子１００の自動走行について説明するためのフローチャートその１であり、自室から他の目的階に自動走行する場合の例を示したものである。以下、図６を参照して、自動走行車椅子１００の走行について説明する。
【００４８】
まず、自動走行車椅子１００の搭乗者は、入出力装置１０５に設けられたタッチパネル１０５ａにより目的地を入力する。または、入出力装置１０５に設けられたマイク１０５ｃにより、目的地を音声入力する（ステップＳ１０１）。
入出力装置１０５から入力された目的地の情報は、ホストコンピュータ４００に通知され、ホストコンピュータ４００で誘導路の経路が算出（選択）され、自動走行車椅子１００に通知される（ステップＳ１０２）。自動走行車椅子１００は、ホストコンピュータ４００から誘導路の経路情報を受信して、経路を選択して自動走行を開始する（ステップＳ１０３）。
なお、目的地を誤入力した場合には、入出力装置１０５によりキャンセルを行い、再度目的地を設定することができる（ステップＳ１０４）。
【００４９】
自動走行車椅子１００は、誘導路上の誘導チップの情報を読み取りながら、また、誘導路が通行可能かどうかをチェックしながら自動走行する（ステップＳ１０４）。
【００５０】
誘導路が通行不可である場合は、直近の誘導路に移動する（ステップＳ１０５）。誘導路が通行可能である場合は、障害物チェックを行いながら自動走行する（ステップＳ１０６）。この障害物チェックは、車椅子内蔵センサ類（車載カメラ、超音波センサ、赤外線センサなど）により誘導路上の障害物をチェックする他に、誘導路設置センサ類（監視カメラ、熱煙センサ、磁気センサ、赤外線センサ、超音波センサなど）により、誘導路上の障害物を監視する。
【００５１】
障害物が検知された場合は（ステップＳ１０７）、検知された障害物が認知済み障害物（自動扉、自動昇降機扉など）か、不特定障害物であるかを確認し、障害物が認知済み障害物（自動扉、自動昇降機扉など）である場合は、当該自動扉や自動昇降機等に、自動走行車椅子１００から直接に、又はホストコンピュータ４００を介して、扉開放信号または自動昇降機呼出信号を送信する（ステップＳ１０８、Ｓ１０９）。
【００５２】
この場合、自動走行車椅子１００と自動扉などは、個人照合を行い（ステップＳ１１０）。照合結果が「ＯＫ」の場合は、扉電源を「ＯＮ」にし扉を開放し（ステップＳ１１１）、自動扉が開放したことを自動走行車椅子１００に通知する。自動走行車椅子１００は自動扉の開放確認信号を受信した後に（ステップＳ１１２）、自動走行を開始する（ステップＳ１２０）。なお、ステップＳ１１０において、照合結果が「未確定」である場合は、自動走行車椅子１００の搭乗者は当該自動扉を通過できないので、再度、他の誘導路を選択することが必要になる。
【００５３】
また、ステップＳ１０７において障害物が不特定障害物であると判断された場合は、自動走行車椅子１００の速度調整を行い走行速度を低下させるか、または停止させる（ステップＳ１１３）。そして、当該障害物の迂回が可能か否かを判断する。
迂回が可能な場合は、ホストコンピュータ４００が迂回ルートを検索し、自動走行車椅子１００に通知する（ステップＳ１１４）。自動走行車椅子１００は、迂回ルートの情報を取得して、障害物を迂回する（ステップＳ１１５）。障害物の迂回が完了し、最初に選択した誘導路に復帰したことを確認した場合は、通常の自動走行を開始する（ステップＳ１１６、Ｓ１２０）。
一方、障害物の迂回ができない場合は、自動走行車椅子１００は停止し（ステップＳ１１７）、管理者などに通報する（ステップＳ１１８）。そして、障害物が人手でにより撤去された後に（ステップＳ１１９）、自動走行車椅子１００は自動走行を開始する（ステップＳ１２０）。
【００５４】
ステップＳ１２０において、自動走行車椅子１００が自動走行を開始すると、後は誘導路を選択しながら目的地に向かって自動走行を行い（ステップＳ１２１）、目的地に到着すると自動走行を終了する（ステップＳ１２２）。
【００５５】
また、図７は、自動走行車椅子１００の自動走行について説明するためのフローチャートその２であり、自室内における自動走行の例を示したものである。
図７に示すフローチャートでは、図６に示すフローチャートと比較して、基本的には同様の処理の流れであり、以下の点だけが異なる。
図７のステップＳ１０８において、認知済み障害物が、自動扉だけとなり、自動昇降機扉は対象とならない。また、ステップＳ１０９において、扉開放信号だけが対象となり、自動昇降機の呼出信号は対象とならない。
【００５６】
また、図８は、障害物検出処理について説明するための図であり、障害物検出処理の手順について詳細に説明したものである。以下、図８を参照して、障害物検出処理の流れについて説明する。
自動走行車椅子側では、車椅子内蔵センサにより、誘導路上の障害物をチェックする。例えば、車載カメラによる障害物の監視、赤外線センサ・人感センサによる人・動物の監視、超音波センサによる物体（非磁性体）の監視、磁気センサによる磁性体の監視が行われる（ステップＳ２０１）。
また、車椅子内蔵センサからの信号は車載コンピュータに送信され、この車載コンピュータにより監視処理が行われる（ステップＳ２０２）。
障害物が感知されると（ステップＳ２０３）、車椅子の速度調整を低下させるか、又は停止する（ステップＳ２０４）。また、障害物感知されたことをシステム側に通知する（矢付線ａ）。
【００５７】
自動走行車椅子側では、車椅子の速度調整の後に、障害物の迂回が可能かどうかを自動走行車椅子１００自身またはホストコンピュータ４００によりチェックする（ステップＳ２０５）。迂回が可能な場合は、ホストコンピュータ４００から迂回ルートを取得して、迂回走行を行う（ステップＳ２０６、Ｓ２０７、Ｓ２０８）。そして、自動走行車椅子は障害物を迂回した後に、通常ルートに復帰する（ステップＳ２０９）。また、ステップＳ２０５において迂回ができないと判断した場合は、管理人者に状況を通知する（矢付線ｂ）。
【００５８】
一方、システム側においては、管理者による誘導路上の障害物チェック（管理人室における有人監視）が行われている。例えば、誘導路設置各センサによる障害物警報の監視、施設内設置防災センサによる火災等の警報の監視、施設内設置監視カメラによる障害物の監視、車椅子内蔵各センサによる警報の監視などが行われる（ステップＳ３０１）。
【００５９】
管理者が、障害物の警報を確認した場合は、まず障害物の状況を確認する。（ステップＳ３０２）。障害物が発見された場合は（ステップＳ３０３）、障害物を撤去する旨を音声・光信号等で自動走行車椅子１００の搭乗者に連絡し（ステップＳ３０４）、管理者による障害物の移動・撤去を行う（ステップＳ３０５）。その後、自動走行車椅子は、自動走行を開始する（ステップＳ２０９）。
【００６０】
なお、ステップＳ３０２において、障害物が発見されなかった場合は（ステップＳ３０６）、車椅子の再始動を音・光信号等で利用者に連絡し（ステップＳ３０７）、自動走行車椅子１００は自動走行を再開する（ステップＳ２０９）。
【００６１】
また、システム側では、誘導路設置センサにより誘導路の監視を行っている。
例えば、磁気センサによる磁性体の監視、超音波センサによる物体（非磁性体）の監視、熱煙センサによる火災等の監視、監視カメラによる障害物の監視などが行われている（ステップＳ４０１）。
【００６２】
誘導路設置センサからの信号はホストコンピュータに送信され、このホストコンピュータにより監視処理が行われる（ステップＳ４０２）。
障害物が感知されると（ステップＳ４０３）、自動走行車椅子１００の速度調整を低下させるか、又は停止させる信号を発信し（ステップＳ４０４）、自動走行車椅子１００を減速又は停止させる（矢付線ｃ）。また、障害物感知されたことを管理者に通知する（矢付線ｄ）。
【００６３】
また、図９は、誘導路上に障害物がある場合の迂回処理について説明するための図である。以下、図９を参照して、迂回処理の流れについて説明する。自動走行車椅子１００の車載カメラにて障害物発見されると（ステップＳ５０１）、自動走行車椅子１００の車載コンピュータにより、障害物のサイズ、障害物までの距離などを算出する（ステップＳ５０２）。さらに、誘導路の状況、幅員、障害物の検知を行う（ステップＳ５０３）。それから、障害物の迂回が可能か否かを判断する。
【００６４】
迂回が可能な場合は、迂回ルートを取得して、迂回走行を行う（ステップＳ５０４、Ｓ５０５、Ｓ５０６）。そして、自動走行車椅子１００は障害物を迂回した後に、通常ルートに復帰する（ステップＳ５０７）。また、ステップＳ５０３において迂回ができないと判断した場合は、管理者に状況を通知し、管理者が障害物を撤去する（ステップＳ５０８、Ｓ５０９）。
【００６５】
次に、自動昇降機についてさらに説明する。図１０は、車椅子自動走行システムにおける自動昇降機の概要を示す図である。
この自動昇降機は、自動昇降機用の自動昇降機制御盤８００と車椅子自動走行システムのホストコンピュータ４００を連動させることにより、車椅子利用者単独で階移動を可能とする昇降機である。また、この自動昇降機には、誘導路（走行路）２００の流れに沿って入口用と出口用の２つの対向する自動扉６０１、６０２が設けられ、自動走行車椅子１００の利用者は車椅子の進行方向を変えることなく、自動昇降機のかご６１０に乗り降りできる。例えば、自動扉６０１側から進入し、自動扉６０２側から退出することにより、車椅子の進行方向を変えずに自動昇降機を利用できる。
【００６６】
また、昇降機のかご６１０内および自動扉６０１、６０２には、車椅子自動走行システムに必要な各種センサ類、例えば、扉開閉センサ６０１ａ、６０２ａ、かご内エリアセンサ６１１、制御誘導センサ６１２や、監視カメラ６２０などが設けられ、取得された情報は自動昇降機制御盤８００とホストコンピュータ４００に通知される。
【００６７】
また、自動走行車椅子１００に入力された目的地情報を得たホストコンピュータ４００が経路情報を算出し、階移動が必要な場合には無線または有線によって接続されている自動昇降機制御盤８００に、自動昇降機を移動元の階までの呼び出し、昇降機自動扉６０１、６０２の開閉指示、安全確認、自動走行車椅子１００の誘導の指示が送られる。また、自動昇降機が呼び出し階に自動着床し、着床・開扉の確認後、車椅子１００が入室し、目的階着床及び開扉を確認後に退室させる。
【００６８】
また、自動走行車椅子１００がエレベーターホールの一定範囲内に入り待機中の車椅子利用者に対し、自動昇降機が自動走行車椅子の利用者の要求を把握している事を合成音声・ランプ・画像等により出力する出力装置（スピーカ、ランプ、画像表示装置等）が自動走行車椅子１００または自動昇降機の入口に設けられる。
【００６９】
また、自動走行用車椅子１００が自動昇降機の一定範囲（例えば、エレベータホール）内に進入した時に、合成音声等により車椅子の目的階を案内し、自動走行車椅子１００の利用者に前進又は後退等の必要情報を提供すると同時に、自動昇降機内外に自動走行用車椅子の存在を合成音声・ランプ・画像等により通知し、着床・退出時に他の車椅子または昇降機利用者に前もって必要情報を提供しスムーズな入退室を可能とする。
【００７０】
また、自動昇降機のかご６１０の内部に自動走行車椅子１００が入室するのに十分なスペースの確保が可能かどうかを、かご内エリアセンサ６１１により算出し、不十分であれば昇降機を通過させるか、その旨を自動走行車椅子１００及びホストコンピュータ４００に通知する。この算出は、かご内エリアセンサ６１１によって、センサの検出範囲内に人物や荷物などの有無を検出し、人物や荷物などが無いことが検出されたかご内エリアセンサ６１１の個数とその検出範囲の広さに基づいて、空きスペースの広さを算出し、この空きスペースが車椅子１００の底面積の大きさより大きい場合に車椅子の進入を許可する。
【００７１】
なお、本発明の自動昇降機では、既存の昇降機に各種センサ類を取付け、制御盤の組替後、ホストコンピュータと無線または有線によって接続することで、容易に自動走行車椅子対応昇降機として改修可能なものとしている。また、非常時の管理人室への通報設備、及びインターフォン設備を有する。
【００７２】
また、図１１は、自動昇降機の動作を説明するためのフローチャートであり、以下、図１１および図１０を参照して、自動昇降機における動作の流れについて説明する。なお、自動昇降機おける動作情報は常にホストコンピュータ４００に通知される。
まず、最初に、自動昇降機は、自動走行車椅子１００またはホストコンピュータ４００からの「自動昇降機呼び出し指示」を受信する（ステップＳ６０１）。自動昇降機が使用中であれば、その旨を、自動走行車椅子１００またはホストコンピュータ４００にその旨を通知する（ステップＳ６０２、Ｓ６０３）。この場合は、自動昇降機を要求した自動走行車椅子は一時待機状態となる。
【００７３】
自動昇降機が現在使用中でなければ、呼び出し階に移動する（ステップＳ６０４）。呼び出し階に到着（着床）すると、自動昇降機を利用しようとする自動走行車椅子１００の照合を行い（ステップＳ６０５）、照合が確定すると（ステップＳ６０６）、自動昇降機の入口側の自動扉６０１を開放し、また、自動昇降機の入口側の自動扉６０１が完全に開放されたことを扉開閉センサ６０１ａにより確認する（ステップＳ６０７）。
【００７４】
自動扉６０１が完全に開放したことを確認した後に、自動走行車椅子１００を入室するように誘導する（ステップＳ６０８）。この場合、自動走行車椅子１００を、かご６１０内の床に設備された制御誘導センサ６１２により、誘導路２００に沿って入室するように案内する。自動走行車椅子１００が入室し、エリアセンサ６１１により、所定の安全位置で停止したことを確認すると（ステップＳ６０９）、入口側の自動扉６０１を閉じ、扉開閉センサ６０１ａにより、自動扉６０１が完全に閉じられたことを確認する（ステップＳ６１０）。なお、この自動走行車椅子１００のかご内への入室誘導は、ホストコンピュータ４００の指示により自動昇降機側で行うことを原則としているが、自動走行車椅子１００自身が行うようにしてもよい。
【００７５】
それから、自動昇降機のかご６１０は目的階に移動する（ステップＳ６１１）。目的階につくと、目的階で安全に退室できることを確認し（ステップＳ６１２）、出口側の自動扉６０２を開放し、扉開放センサ６０２ａにより、自動扉６０２が完全に開放されたことを確認する（ステップＳ６１３）。
【００７６】
自動扉（出口側）６０２が開放されると、自動走行車椅子１００を退室するように、誘導する（ステップＳ６１４）。この場合、自動走行車椅子１００を、かご６１０内の床、天井または壁等に設備された制御誘導センサ６１２により、誘導路２００に沿って退室するように案内する。それから、自動走行車椅子１００が完全に退室したことをエリアセンサ６１１で確認し（ステップＳ６１５）、安全が確認された後に、自動扉（出口側）を閉める（ステップＳ６１６）。なお、この自動走行車椅子１００のかご内からの退室誘導は、ホストコンピュータ４００の指示により自動昇降機側で行うことを原則としているが、自動走行車椅子１００自身が行うようにしてもよい。
【００７７】
また、上述した実施形態では、自動扉が２つある場合について説明したが、この自動扉はひとつであってもよく、この場合、エレベータに乗った後は、車椅子の進行方向を扉側に向ける（方向転換）制御が行われる。また、この方向転換の制御は、自動昇降機側から車椅子に指示を出してもよく、自動走行車椅子１００自身が行うようにしてもよい。
また、上述した実施形態において、自動扉が２つ以上設けるようにしてもよく、この場合、自動昇降機制御装置７００からの指示に基づいて、どの扉が目的階への出入り口になるかについて、音声・ランプ・画像等によって着床前に自動昇降機に内の搭乗者に通知する出力手段を設けるようにしてもよい。
また、上述した実施形態において、自動走行車椅子またはホストコンピュータから当該自動走行車椅子を乗せるための指示を受信した場合に、自動走行車椅子が入室することをかご内に搭乗している人に対し、音声、ランプ、画像などによって通知する出力装置を設けるようにしてもよい。これにより、自動走行車椅子が入室する前に、かご内の搭乗者が扉の出入り口付近のスペースを空けるようによけてもらうことが可能となり、自動走行車椅子の入室をスムーズに行うことができる。
【００７８】
また、図１２は、自動昇降機の動作を制御する自動昇降機制御装置の構成例を示す図であり、自動昇降機の制御に必要な機能を示したものである。なお、この自動昇降機制御装置（または、その機能）はホストコンピュータ４００内に設けてもよいし、自動昇降機制御盤８００内に設けてもよい。
【００７９】
図１２において、自動昇降機制御装置７００は、自動昇降機のかご６１０の昇降および自動扉６０１、６０２の自動開閉の制御、および自動走行車椅子１００のかご６１０への入室および退室の誘導制御などを行う制御装置であり、自動昇降機制御装置７００の全体を統括制御するＥＶ制御部７０１、処理プログラム部７１０、及びデータベース７２０が備えられる。
【００８０】
また、処理プログラム部７１０には、以下の処理部が含まれる。
管理人室への情報伝達処理部７１１は、管理人室５００に、自動昇降機のかご６１０内の監視カメラ６２０による監視情報、自動昇降機内の自動走行車椅子１００の状態情報、および各種センサ等による監視情報等を送信するための処理部である。
目的階移動処理部７１２は、自動昇降機のかご６１０の呼び出し制御と、目的階へのかご６１０の移動制御を行うための処理部である。
入室誘導処理部７１３は、自動走行車椅子１００をかご６１０内に入室させる際に、該車椅子１００を検出して扉を開き、制御誘導センサ６１２により自動走行車椅子１００の入室を誘導し、車椅子が入室し所定の安全位置で停止したことを確認した後に扉を閉じる処理を行う。
退室誘導処理部７１４は、自動走行車椅子１００をかご６１０から退室させる際に、目的階に着いたことを確認して扉を開き、制御誘導センサ６１２により自動走行車椅子１００の退室を誘導し、車椅子が安全に退室したことを確認した後に扉を閉じる処理を行う。
【００８１】
また、ＥＶ扉開閉指示処理部７１５は、自動扉６０１、６０２に開閉を指示するための処理部である。
かご内エリア感知処理部７１６は、かご６１０内の設けられた各種センサ類、例えば、扉開閉センサ６０１ａ、６０２ａ、かご内エリアセンサ６１１、制御誘導センサ６１２や、監視カメラ６２０などの情報を収集するための処理部である。
誘導路経路算出処理部７１７は、自動走行車椅子１００の目的地の情報を受信し、自動走行車椅子１００の目的階の情報およびかご６１０から退室する際の誘導路を算出するための処理部である。
自動走行車椅子監視処理部７１８は、自動昇降機内部の自動走行車椅子１００の安全確認、および自動昇降機の着床位置の近辺（エレベータホール）における他の自動走車椅子の走行状況などを監視するための処理部である。
非常通報処理部７１９は、かご内エリア感知処理部７１６、および自動走行車椅子監視処理部７１８により、自動走行車椅子１００の安全を脅かす事態が発生したことを感知した場合に、管理人室５００などに通知するための処理部である。
【００８２】
なお、データベース７２０には、自動昇降機の運用に必要な情報が記録される。
例えば、階移動管理情報７２１は、自動昇降機の現在の稼動状況、例えば、複数の自動昇降機が使用されている場合に、各自動昇降機が現在どの階にいるか、および昇降の履歴情報などが記録される。
【００８３】
また、ＥＶ扉開閉管理情報７２２は、各自動昇降機の自動扉の開閉状態を管理するための情報である。センサ類管理情報７２３は、自動昇降機のかご内に設けられた各種センサ類、例えば、扉開閉センサ６０１ａ、６０２ａ、かご内エリアセンサ６１１、制御誘導センサ６１２や、監視カメラ６２０などの情報を収集し記録した情報である。
【００８４】
車椅子管理情報７２４は、自動昇降機を利用する自動走行車椅子１００についての情報を記録したものである。また、誘導路管理情報７２５は、自動昇降機の運用に必要な誘導路についての情報を記録したものである。
なお、これらの管理情報は、後日必要に応じて、記録として検証することができる。
【００８５】
また、自動昇降機制御盤８００には、電力電源主回路が収納されると共に、自動昇降機の駆動に必要な各種機器が収納された制御盤であり、昇降用モータの駆動制御装置（例えば、インバータおよびシーケンサなどの制御装置）８０１、扉開閉駆動制御装置（例えば、油圧ユニット制御装置など）８０２、各種センサ情報収集部（例えば、シーケンサなど）８０３などが設けられている。
【００８６】
以上、本発明の実施の形態について説明した、図４に示す車椅子制御装置１０４内の処理プログラム部１５０、図５に示すホストコンピュータ４００内の処理プログラム部４１０、及び図１２に示す自動昇降機制御装置７００内の処理プログラム部７１０の機能を実現するためのプログラムをコンピュータ読み取り可能な記録媒体に記録して、この記録媒体に記録されたプログラムをコンピュータシステムに読み込ませ、実行することにより、図４に示す車椅子制御装置１０４内の処理プログラム部１５０、図５に示すホストコンピュータ４００内の処理プログラム部４１０、及び図１２に示す自動昇降機制御装置７００内の処理プログラム部７１０の機能に必要な処理を行ってもよい。なお、ここでいう「コンピュータシステム」とは、ＯＳや周辺機器等のハードウェアを含むものとする。
【００８７】
また、「コンピュータ読み取り可能な記録媒体」とは、フレキシブルディスク、光磁気ディスク、ＲＯＭ、ＣＤ−ＲＯＭ等の可般媒体、コンピュータシステムに内蔵されるハードディスク等の記憶装置のことをいう。
さらに「コンピュータ読み取り可能な記録媒体」とは、インターネット等のネットワークや電話回線等の通信回線を介してプログラムを送信する場合の通信線のように、短時間の間、動的にプログラムを保持するもの(伝送媒体ないしは伝送波)、その場合のサーバやクライアントとなるコンピュータシステム内部の揮発性メモリのように、一定時間プログラムを保持しているものも含むものとする。
また上記プログラムは、前述した機能の一部を実現するためのものであっても良く、さらに前述した機能をコンピュータシステムにすでに記録されているプログラムとの組み合わせで実現できるもの、いわゆる差分ファイル（差分プログラム）であっても良い。
【００８８】
以上、本発明の実施の形態について説明したが、本発明の自動走行車椅子、車椅子自動走行システム、自動昇降機は、上述の図示例にのみ限定されるものではなく、本発明の要旨を逸脱しない範囲内において種々変更を加え得ることは勿論である。
【産業上の利用可能性】
【００８９】
本発明においては、建築物または施設内外で、安全性の高い車椅子の自動走行システムを構築でき、高齢者などの車椅子の利用者が積極的な生き方ができるように支援することができ、また、介護者の負担を軽減することができるので、本発明は、自動走行車椅子、車椅子自動走行システム、自動昇降機、及び車椅子の自動走行方法などに適用できる。
【図面の簡単な説明】
【００９０】
【図１】本発明による自動走行車椅子の構成例を示す図。
【図２】誘導路の構成例を示す図。
【図３】誘導路の概念図を示す図。
【図４】自動走行車椅子の駆動ユニットの構成例を示すブロック図。
【図５】ホストコンピュータの構成例を示すブロック図。
【図６】自動走行車椅子の自動走行について説明するためのフローチャート。
【図７】自動走行車椅子の自動走行について説明するためのフローチャート。
【図８】障害物検出処理について説明するための図。
【図９】迂回処理について説明するための図。
【図１０】車椅子自動走行システムにおける自動昇降機の概要を示す図。
【図１１】自動昇降機の動作を説明するためのフローチャート。
【図１２】自動昇降機制御装置の構成例を示す図。
【符号の説明】
【００９１】
１００  自動走行車椅子                １０１  駆動ユニット
１０４  車椅子制御装置（車載コンピュータ）
１０５  入出力装置                    １０７  センサ部
１１０  移動用タイヤ                  １３１  誘導チップリーダ
１３２  監視カメラ                    １４１  制御部
１４２  通信部                        １４３  モータ制御回路部
１５０  処理プログラム部              １５１  誘導路経路情報取得処理部
１５２  障害物検知処理部              １５３  障害物回避処理部
１５４  迂回ルート取得処理部          １５５  自動扉開閉指示処理部
１５６  自動昇降機移動指示処理部      １５７  走行状況通知処理部
１５８  モータ制御処理部              ２００  誘導路
２１１  誘導チップ                    ３１１  各種自動扉
３１６  自動昇降機扉                  ４００  ホストコンピュータ
６０１  自動扉（入口側）              ６０１ａ  扉開閉センサ（入口側）
６０２  自動扉（出口側）              ６０２ａ  扉開放センサ（出口側）
６１１  エリアセンサ                  ６１２  制御誘導センサ
６２０  監視カメラ                    ７００  自動昇降機制御装置
７０１  ＥＶ制御部                    ７１０  処理プログラム部
７１１  管理人室への情報伝達処理部    ７１２  目的階移動処理部
７１３  入室誘導処理部                ７１４  退室誘導処理部
７１５  ＥＶ扉開閉指示処理部          ７１６  かご内エリア感知処理部
７１７  誘導路経路算出処理部          ７１８  自動走行車椅子監視処理部
７１９  非常通報処理部                ８００  自動昇降機制御盤
【図１】
2005206362.tif 000003
【図２】
2005206362.tif 000004
【図３】
2005206362.tif 000005
【図４】
2005206362.tif 000006
【図５】
2005206362.tif 000007
【図６】
2005206362.tif 000008
【図７】
2005206362.tif 000009
【図８】
2005206362.tif 000010
【図９】
2005206362.tif 000011
【図１０】
2005206362.tif 000012
【図１１】
2005206362.tif 000013
【図１２】
2005206362.tif 000014